【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
高次アンビソニック係数をレンダリングするように構成されるデバイスであって、
前記高次アンビソニック係数の符号化されたバージョンを含むビットストリームから、複数のスピーカーフィードに前記高次アンビソニック係数をレンダリングするために使用される行列の希薄さを示す希薄さ情報および前記行列の値シンメトリを示す値シンメトリ情報を取得することと、
前記ビットストリームから、前記行列を表すために使用される低減されたビット数を取得することと、
前記希薄さ情報、前記値シンメトリ情報、および前記低減されたビット数に基づいて、前記行列を再構成することと、
前記再構成された行列を使用して、前記複数のスピーカーフィードに前記高次アンビソニック係数をレンダリングすることと、
１つまたは複数のラウドスピーカーを駆動するために、前記複数のスピーカーフィードを出力することと
を行うように構成される１つまたは複数のプロセッサと、
前記１つまたは複数のプロセッサに結合され、前記希薄さ情報を記憶するように構成されるメモリと
を備える、デバイス。
【請求項２】
前記１つまたは複数のプロセッサは、前記行列が前記高次アンビソニック係数から前記複数のスピーカーフィードをレンダリングするために使用されるべきスピーカーレイアウトを決定するようにさらに構成される、
請求項１に記載のデバイス。
【請求項３】
前記複数のスピーカーフィードに基づいて前記高次アンビソニック係数によって表わされる音場を再生するように構成されるスピーカーをさらに備える、
請求項１に記載のデバイス。
【請求項４】
前記１つまたは複数のプロセッサは、マルチチャネルオーディオコンテンツを生成するときに使用されるオーディオレンダラを識別する信号値を示すオーディオレンダリング情報を取得することと、前記オーディオレンダリング情報に基づいて前記複数のスピーカーフィードをレンダリングすることとを行うようにさらに構成される、
請求項１に記載のデバイス。
【請求項５】
前記信号値は、マルチチャネルオーディオデータに前記高次アンビソニック係数をレンダリングするために使用される前記行列を含み、
前記１つまたは複数のプロセッサは、前記信号値中に含まれる前記行列に基づいて前記複数のスピーカーフィードをレンダリングするように構成される、
請求項４に記載のデバイス。
【請求項６】
高次アンビソニック係数をレンダリングする方法であって、
オーディオ復号デバイスが前記高次アンビソニック係数の符号化されたバージョンを含むビットストリームから、複数のスピーカーフィードを生成するために、前記高次アンビソニック係数をレンダリングするために使用される行列の希薄さを示す希薄さ情報および前記行列の値シンメトリを示す値シンメトリ情報を取得することと、
前記値シンメトリ情報および前記希薄さ情報に基づいて、前記オーディオ復号デバイスが前記ビットストリームから、前記行列を表すために使用される低減されたビット数を抽出することと、
前記値シンメトリ情報、前記希薄さ情報、および前記低減されたビット数に基づいて、前記オーディオ復号デバイスが、前記行列を再構成することと、
前記オーディオ復号デバイスが前記再構成された行列を使用して、前記複数のスピーカーフィードに前記高次アンビソニック係数をレンダリングすることと、
前記オーディオ復号デバイスが、前記オーディオ復号デバイスの１つまたは複数のラウドスピーカーを駆動するために、１つまたは複数のラウドスピーカーフィードを出力することと
を備える、方法。
【請求項７】
前記行列が前記高次アンビソニック係数から前記複数のスピーカーフィードをレンダリングするために使用されるべきスピーカーレイアウトを決定することをさらに備える、
請求項６に記載の方法。
【請求項８】
前記複数のスピーカーフィードに基づいて前記高次アンビソニック係数によって表わされる音場を再生することをさらに備える、
請求項６に記載の方法。
【請求項９】
前記複数のスピーカーフィードを生成するときに使用されるオーディオレンダラを識別する信号値を示すオーディオレンダリング情報を取得することと、
前記オーディオレンダリング情報に基づいて前記複数のスピーカーフィードをレンダリングすることと
をさらに備える、請求項６に記載の方法。
【請求項１０】
前記信号値は、前記複数のスピーカーフィードに前記高次アンビソニック係数をレンダリングするために使用される前記行列を含み、
前記方法は、前記信号値中に含まれる前記行列に基づいて前記複数のスピーカーフィードをレンダリングすることをさらに備える、
請求項９に記載の方法。
【請求項１１】
ビットストリームを作成するように構成されるデバイスであって、
音場をキャプチャするように構成されるマイクロフォンと、
行列を記憶するように構成されるメモリと、
前記メモリに結合され、
複数のスピーカーフィードを生成するために、高次アンビソニック係数をレンダリングするために使用される前記行列の希薄さを示す希薄さ情報を取得すること、前記高次アンビソニック係数は、前記マイクロフォンによってキャプチャされた前記音場を表す、と、
前記行列の値シンメトリを示す値シンメトリ情報を取得することと、
前記値シンメトリ情報および前記希薄さ情報に基づいて、前記行列を表すために使用される低減されたビット数を決定することと、
前記高次アンビソニック係数の符号化されたバージョン、前記値シンメトリ情報、前記希薄さ情報、および前記低減されたビット数を含むために、前記ビットストリームを生成することと
を行うように構成される１つまたは複数のプロセッサと
を備える、デバイス。
【請求項１２】
前記１つまたは複数のプロセッサは、前記行列が前記高次アンビソニック係数から前記複数のスピーカーフィードをレンダリングするために使用されるべきスピーカーレイアウトを決定するようにさらに構成される、
請求項１１に記載のデバイス。
【請求項１３】
前記高次アンビソニック係数によって表わされる音場をキャプチャするように構成されるマイクロフォンをさらに備える、
請求項１１に記載のデバイス。
【請求項１４】
ビットストリームを作成する方法であって、
オーディオ復号デバイスのマイクロフォンが、音場をキャプチャすることと、
前記オーディオ復号デバイスが、複数のスピーカーフィードを生成するために、高次アンビソニック係数をレンダリングするために使用される行列の希薄さを示す希薄さ情報を取得すること、前記高次アンビソニック係数は、前記マイクロフォンによってキャプチャされた前記音場を表す、と、
前記オーディオ復号デバイスが、前記行列の値シンメトリを示す値シンメトリ情報を取得することと、
前記値シンメトリ情報および前記希薄さ情報に基づいて、前記オーディオ復号デバイスが、前記行列を表すために使用されるビット数を低減することと、
前記オーディオ復号デバイスが、前記高次アンビソニック係数の符号化されたバージョン、前記値シンメトリ情報、前記希薄さ情報、および前記低減されたビット数を含むために、前記ビットストリームを生成することと
を備える、方法。
【請求項１５】
前記行列が前記高次アンビソニック係数から前記複数のスピーカーフィードをレンダリングするために使用されるべきスピーカーレイアウトを決定することをさらに備える、
請求項１４に記載の方法。
【請求項１６】
前記高次アンビソニック係数によって表わされる音場をキャプチャすることをさらに備える、
請求項１４に記載の方法。